(57)【要約】      （修正有）【課題】車椅子の前方方向に空間を確保しにくい場所でも車椅子への取り付けが容易な車椅子用テーブルを提供する。【解決手段】車椅子用テーブル１は、テーブル２と、アーム３と、固定具４とを備えている。車椅子用テーブルを、車椅子の肘掛部１０１の上に載せて、固定具のノブ部４１を脱離位置から設置位置に回動させれば、固定具が備える当接部４４とアームとの間に肘掛部が挟まれてテーブルが車椅子に固定される。【選択図】図４
0003196563.tif 000002
【実用新案登録請求の範囲】
【請求項１】
車椅子の肘掛部上に載せられるテーブル部と、
前記テーブル部の下面側に設置され、脱離位置と設置位置との間を回動するノブ部、及び前記ノブ部を設置位置に回動させると、前記肘掛部に当接する当接部を備え、前記当接部を前記肘掛部に当接させて前記テーブル部と前記当接部との間に前記肘掛部を挟んで、当該車椅子用テーブルを前記車椅子に固定する固定具と、
を備えることを特徴とする車椅子用テーブル。
【請求項２】
請求項１に記載の車椅子用テーブルにおいて、
前記テーブル部は、
テーブルと、
前記テーブルの下面側に備えられ、前記車椅子が備える一対の前記肘掛部のそれぞれに載置可能な一対のアームと
を備え、
前記固定具は、
それぞれの前記アームに少なくとも1つずつ備えられ、前記アームと前記当接部との間に前記肘掛部を挟んで、当該車椅子用テーブルを前記車椅子に固定することを特徴とする車椅子用テーブル。
【請求項３】
請求項２に記載の車椅子用テーブルにおいて、
前記アームは、
当該車椅子用テーブルを前記肘掛部に固定するときの位置である固定位置と、当該車椅子用テーブルを運搬するときに前記アームが邪魔になりにくい位置である運搬時位置の間を回動可能に、前記テーブルに対して取り付けられていることを特徴とする車椅子用テーブル。
【請求項４】
請求項２〜３のいずれか一項に記載の車椅子用テーブルにおいて、
前記アームは、
前記肘掛部の上面を覆うとともに、当該車椅子用テーブルが設置されたときの車椅子の前後方向を基準とした場合の左右の側面であって前記肘掛部の左右の側面の少なくとも一部を覆う形状であって、前記肘掛部の長手方向に垂直な断面形状がコ字形状に形成されていることを特徴とする車椅子用テーブル。
【請求項５】
請求項２〜４のいずれか一項に記載の車椅子用テーブルにおいて、
前記アームは、
前記肘掛部に載せたときに前記肘掛部の前方側の端部に当接するストッパを備えることを特徴とする車椅子用テーブル。
【請求項６】
請求項５に記載の車椅子用テーブルにおいて、
固定具は、
前記ストッパに設置されていることを特徴とする車椅子用テーブル。
【請求項７】
請求項１〜６のいずれか１項に記載の車椅子用テーブルにおいて、
前記固定具は、
前記テーブル部の前方側に前記ノブ部を引いた場合に、前記ノブ部が前記脱離位置から前記設置位置に回動するように前記テーブル部に取り付けられていることを特徴とする車椅子用テーブル。
【考案の詳細な説明】
【技術分野】
【０００１】
本考案は、車椅子に対して着脱可能な車椅子用テーブルに関する。
【背景技術】
【０００２】
車椅子に対して着脱可能な車椅子用テーブルとして、背もたれ部分から前方に向かって突設されたパイプ形状の肘掛部を有する車椅子用のテーブルが知られている（特許文献１）。
【０００３】
この車椅子用テーブルは、肘掛部を挿入可能なパイプを一対備えており、これらのパイプに各肘掛部を挿抜することで、車椅子に対して着脱することができる。
【先行技術文献】
【特許文献】
【０００４】
【特許文献１】実用新案登録第３１８６１７１号公報
【考案の概要】
【考案が解決しようとする課題】
【０００５】
しかし、背景技術の欄で述べた車椅子用テーブルは、車椅子の前後方向に抜き挿しする必要があるので、車椅子の設置場所が車椅子の前方方向に空間を確保しにくい場所（例えば新幹線の車内等）では、車椅子への取り付けが難しかった。
【０００６】
また、車椅子の肘掛部は、必ずしもパイプ形状に形成されておらず、車椅子の前後方向の断面形状が略かまぼこ形状（円の下半分をカットした略半円形状で、頂部が平坦になっているもの）の肘掛部も多く見られる。
【０００７】
本考案では、車椅子の設置場所が車椅子の前方方向に空間を確保しにくい場所でも車椅子への取り付けが容易であり、略かまぼこ形状の肘掛部を備える車椅子に取り付けることができる車椅子用テーブルを提供する。
【課題を解決するための手段】
【０００８】
本考案の請求項１に記載の車椅子用テーブルは、車椅子の肘掛部上に載せられるテーブル部と、前記テーブル部の下面側に設置され、脱離位置と設置位置との間を回動するノブ部、及び前記ノブ部を設置位置に回動させると、前記肘掛部に当接する当接部を備え、前記当接部を前記肘掛部に当接させて前記テーブル部と前記当接部との間に前記肘掛部を挟んで、当該車椅子用テーブルを前記車椅子に固定する固定具と、を備えることを特徴とする。
【０００９】
この車椅子用テーブルは、車椅子の肘掛部の上に載せて、固定具のノブ部を脱離位置から設置位置に回動させれば、テーブル部と固定具の当接部との間に肘掛部が挟まれて車椅子に固定できる。
【００１０】
したがって、この車椅子用テーブルは、肘掛部の上に載せれば車椅子に取り付けることができるので、車椅子の設置場所が車椅子の前方方向に空間を確保しにくい場所でも簡単に取り付けることができる。
【００１１】
また、この車椅子用テーブルは、テーブル部と当接部とで肘掛部を挟んで固定しているので、肘掛部が略かまぼこ形状であっても固定することができる。
したがって、この車椅子用テーブルは、略かまぼこ形状の肘掛部を備える車椅子に取り付けることができる。
【００１２】
本考案の請求項２に記載された車椅子用テーブルのように、テーブル部は、テーブルと、このテーブルの下面側に備えられ、車椅子が備える一対の肘掛部のそれぞれに載置可能な一対のアームとを備え、固定具は、それぞれのアームに少なくとも1つずつ備えられ、アームと当接部との間に肘掛部を挟んで、車椅子用テーブルを前記車椅子に固定するものであってもよい。
【００１３】
通常、車椅子は一対の肘掛部を備えており、車椅子用テーブルは、これら肘掛部を跨いで車椅子に取り付けられる。そのため、この車椅子用テーブルは、各肘掛部に固定できるように、各アームに固定具を備えている。
【００１４】
したがって、この車椅子用テーブルは、各肘掛部の間を跨いだ両側で固定できるので、車椅子に安定的に取り付けることができる。
本考案の請求項３に記載された車椅子用テーブルのように、アームは、車椅子用テーブルを肘掛部に固定するときの位置である固定位置と、車椅子用テーブルを運搬するときにアームが邪魔になりにくい位置である運搬時位置との間を回動可能に、テーブル部に対して取り付けてもよい。
【００１５】
この車椅子用テーブルは、アームを固定位置に移動すれば、車椅子への固定が可能であり、アームを運搬時位置に移動すれば、運搬時にアームが邪魔をしない。
したがって、この車椅子用テーブルは、車椅子に固定できることはもちろん、車椅子から取り外したとき容易に運搬することができる。
【００１６】
本考案の請求項４に記載された車椅子用テーブルのように、アームは、肘掛部の上面を覆うとともに、当該車椅子用テーブルが設置されたときの車椅子の前後方向を基準とした場合の左右の側面の少なくとも一部を覆う形状であって、肘掛部の長手方向に垂直な断面形状がコ字形状に形成されていてもよい。
【００１７】
このようにすると、アームは、肘掛部の上に載せたときに肘掛部にかぶさって載るので、車椅子用テーブルは肘掛部の上に安定して載る。
したがって、この車椅子用テーブルは、車椅子の肘掛部上に安定して載るので、固定作業を簡易に行うことができる。
【００１８】
本考案の請求項５に記載された車椅子用テーブルのように、アームは、肘掛部に載せたときに、肘掛部の前方側の端部に当接するストッパを備えていてもよい。
この車椅子用テーブルは、肘掛部の前方側の端部をストッパに当接させれば、肘掛部に対しアームがいつも同じ位置に位置することになる。
【００１９】
したがって、この車椅子用テーブルは、車椅子に対しいつでも同じ位置に設置することができる。
本考案の請求項６に記載された車椅子用テーブルのように、固定具は、ストッパに設置されていてもよいが、これに限られない。
【００２０】
本考案の請求項７に記載された車椅子用テーブルのように、固定具は、テーブル部の前方側にノブ部を引いた場合に、ノブ部が脱離位置から設置位置に回動するようにテーブル部に取り付けられていてもよい。
【図面の簡単な説明】
【００２１】
【図１】（Ａ）車椅子用テーブルの平面図、（Ｂ）側面図、（Ｃ）正面図である。
【図２】車椅子用テーブルの裏面図であり、（Ａ）はアームが固定位置に配置された様子を示し、（Ｂ）はアームが運搬時位置に配置された様子を示している。
【図３】固定具４の正面図であり、（Ａ）はノブ部を設置位置に操作した様子を示す図であり、（Ｂ）はノブ部を脱離位置に操作した様子を示す図である。
【図４】車椅子用テーブルを車椅子に設置した様子を説明するための説明図で、実線で車椅子用テーブルの一部、点線で車椅子の一部を示した（Ａ）正面図、（Ｂ）側面図である。
【考案を実施するための形態】
【００２２】
以下に本考案の例示的な実施形態について図面を参照しながら説明する。
図１（Ａ）〜図１（Ｃ）に示すように、本実施形態の車椅子用テーブル１は、テーブル２と、一対のアーム３と、固定具４とを備えている。
【００２３】
テーブル２は、平面視（図１（Ａ））した場合、長方形状に形成され、側面視（図１（Ｂ））した場合、周縁部が上方外側に向かって傾斜するように折り曲げられた有底形状に形成されている。そして、周縁部は、先端部分が外側に向かって丸められている。
【００２４】
各アーム３は、軸方向に垂直な断面で切断した断面形状がコ字形状に形成されているとともに、軸方向長さが、軸方向に垂直な幅方向及び厚み方向に比べて長い形状に形成されている。
【００２５】
各アーム３は、テーブル２に対し、次にように配置されるとともに取り付けられる。各アーム３は、テーブル２に対し、テーブル２と対向する側とは反対側に向かって、コの字の開口部分が向くように配置され、テーブル２の底部の下面側（裏面側）に取り付けられる。また、各アーム３は、平面視したとき、テーブル２の下面側でテーブル２に重なる位置に互いに平行になるように配置されるとともに、各アーム３の軸方向に沿った辺のうち、対のアーム３側とは反対側の辺が、テーブル２の各短辺に略一致するようにそれぞれ配置される。各アーム３は、平面視したとき、軸方向の一端が、テーブル２の各長辺の中間地点よりも一方の長辺側に寄った位置に配置されるとともに、軸方向の他端が、テーブル２の外側に出るように配置される。そして、各アーム３は、テーブル２に対し、軸方向の一端側近傍の幅方向の中央で蝶ネジ３１を用いて回動可能に固定される。
【００２６】
各アーム３は、使用時、すなわち、車椅子に取り付ける時は、図２（Ａ）に示すように、それぞれの軸方向がテーブル２の短辺に沿うように配置され、その配置された位置に固定される。以下、アーム３が使用時に配置される位置を固定位置と呼ぶ。
【００２７】
各アーム３は、運搬時、図２（Ｂ）に示すように、固定位置から回動され、テーブル２を平面視したときのテーブル２の外枠で囲われた位置内に全体が位置するように配置され、その配置された位置に固定される。以下、アーム３が運搬時に配置される位置を運搬時位置と呼ぶ。
【００２８】
固定具４は、図１（Ｂ）又は図１（Ｃ）に示すように、各アーム３に設置されたストッパ３０を介してアーム３に固定されている。ストッパ３０は、各アーム３が回動可能にテーブル２に取り付けられる位置から各アーム３の軸方向に沿った方向に所定距離離れた位置であって、各アーム３が形成するコの字の内側面のうち、各アーム３がテーブル２に対向する面の裏側の面に取り付けられている。固定具４は、このストッパ３０のうち、アーム３が形成するコの字が開口する側の面上に設置されている。そのため、車椅子用テーブル１が車椅子に取り付けられると、下方に向かって立設されるようにストッパ３０に取り付けられる。
【００２９】
固定具４は、図３（Ａ）又は図３（Ｂ）に示すように、ストッパ３０に固定される土台部４０と、この土台部４０に回動可能に取り付けられる支柱部４２及び中継部４３と、を備えている。また、ノブ部４１は、支柱部４２及び中継部４３に回動可能に取り付けられている。これら土台部４０、ノブ部４１、支柱部４２、及び中継部４３は、互いに平行な回転面に沿って回動する。
【００３０】
ノブ部４１及び支柱部４２は、図３（Ａ）に示すように、ノブ部４１がアーム３の軸方向に沿った方向であって、アーム３がテーブル２に回動可能に固定される前方側に向かって倒され、支柱部４２が後方側に向かって倒されて開いた状態となったり、図３（Ｂ）に示すように、これらが閉じた状態となるように回動する。尚、ノブ部４１及び支柱部４２が閉じているときのノブ部４１の位置を脱離位置、これらが開いているときのノブ部４１の位置を設置位置と呼ぶ。
【００３１】
土台部４０には、図３（Ｂ）に示すように、支柱部４２及び中継部４３を回動可能に支持する支持位置の間に窪部４０１が設けられている。ノブ部４１及び支柱部４２を開いた状態から閉じた状態にすると、中継部４３が窪部４０１とは反対側に向かって回動し、ノブ部４１の端部であって、支柱部４２と回動可能に接続されている端部が窪部４０１に位置するように回動する。
【００３２】
一方、図３（Ａ）に示すように、ノブ部４１及び支柱部４２を閉じた状態から開いた状態にすると、中継部４３が窪部４０１側に向かって回動し、中継部４３のうちノブ部４１を回動可能に支持する端部が、ノブ部４１と支柱部４２とが回動可能に接続されている点と、中継部４３が土台部４０に対し回動可能に接続されている点とを結ぶ直線を越えて窪部４０１側に移動する。すると、中継部４３が窪部４０１が設けられている側とは反対側に回動しにくくなるので、ノブ部４１及び支柱部４２は開いた状態が維持される。すなわち、ノブ部４１が設置位置に位置するときは、ノブ部４１を操作するなどして、中継部４３が窪部４０１が設けられている側とは反対側に回動しにくくなっている状態を解除しない限り、支柱部４２は開いた状態で固定される。
【００３３】
次に、本実施形態の車椅子用テーブル１を、軸方向に垂直な断面が略かまぼこ型に形成された肘掛部を有する車椅子に取り付ける方法について、図４（Ａ）又は図４（Ｂ）を用いて説明する。
【００３４】
１）車椅子用テーブル１を車椅子に取り付ける場合、まず、各アーム３を固定位置に回動させ、各アーム３を平行に配置する。そして、その位置で蝶ネジ３１（図１（Ｂ）参照）を締めて各アーム３をテーブル２に固定する。
【００３５】
２）各アーム３を車椅子の肘掛部１０１にかぶせ、肘掛部１０１の先端部分を、各アーム３に設置されたストッパ３０に当接させる。
３）ノブ部４１を前方側に倒して（固定位置に移動させて）、支柱部４２に取り付けられた当接部４４を下方から上方に向かって肘掛部１０１の下面に当接させ、ノブ部４１及び支柱部４２を開いた状態にする。すると、肘掛部１０１にかぶせられたアーム３と、肘掛部１０１の下面に当接した当接部４４との間に肘掛部１０１が挟まれて、車椅子用テーブル１が車椅子に固定される。
【００３６】
次に、本実施形態の車椅子用テーブル１を取り外して運搬する方法について説明する。
１）車椅子用テーブル１を運搬する場合、ノブ部４１及びアーム３が肘掛部１０１を挟んでいる状態を解除するため、ノブ部４１を操作してノブ部４１及び支柱部４２を閉じた状態にして、車椅子用テーブル１を車椅子から外す。
【００３７】
２）車椅子用テーブル１を裏返しにして蝶ネジ３１を回し、アーム３をテーブル２に対して回動するようにアーム３のテーブル２に対する固定を解く。
３）各アーム３を回動させて、各アーム３がテーブル２の外枠内に収まるように配置する（図２（Ｂ）参照）。
【００３８】
４）蝶ネジ３１を回して、各アーム３をテーブル２に固定し、運搬用の袋などに車椅子用テーブル１を収納して運搬する。
以上説明した車椅子用テーブル１は、次のような特徴的な作用効果を奏する。
【００３９】
本実施形態の車椅子用テーブル１は、車椅子の肘掛部１０１の上に載せて、固定具４のノブ部４１を脱離位置（図３（Ｂ）参照）から設置位置（図３（Ａ）参照）に操作すれば、アーム３と固定具４の当接部４４との間に肘掛部１０１が挟まれて車椅子に固定できる。
【００４０】
したがって、この車椅子用テーブル１は、肘掛部１０１の上に載せれば車椅子に取り付けることができるので、車椅子の設置場所が車椅子の前方方向に空間を確保しにくい場所でも簡単に取り付けることができる。
【００４１】
また、この車椅子用テーブル１は、アーム３と当接部４４とで肘掛部１０１を挟んで固定しているので、肘掛部１０１が略かまぼこ形状であっても固定することができる。
したがって、この車椅子用テーブル１は、略かまぼこ形状の肘掛部１０１を備える車椅子に取り付けることができる。
【００４２】
この車椅子用テーブル１は、各肘掛部１０１の間を跨いだ両側で固定しているので、車椅子に安定的に取り付けることができる。
この車椅子用テーブル１は、運搬するときにアーム３が邪魔になりにくい位置（図２（Ｂ）参照）に移動させることができるので、運搬時にアーム３が邪魔をしない。
【００４３】
したがって、この車椅子用テーブル１は、車椅子から取り外したとき容易に運搬することができる。
この車椅子用テーブル１は、断面形状がコ字形状に形成されたアーム３を用いている。
【００４４】
そのため、アーム３が肘掛部１０１の上に載せたときに肘掛部１０１にかぶさって載るので、車椅子用テーブル１は肘掛部１０１の上に安定して載る。そのため、この車椅子用テーブル１は、ノブ部４１を操作して肘掛部１０１への固定作業を簡易に行うことができる。
【００４５】
本実施形態の車椅子用テーブル１は、アーム３を肘掛部１０１にかぶせたとき、肘掛部１０１の前方側の端部をストッパ３０に当接させているので、肘掛部１０１に対しアーム３がいつも同じ位置に位置する。
【００４６】
したがって、この車椅子用テーブル１は、車椅子に対しいつでも同じ位置に設置することができる。
［他の実施形態］
以上、本考案の一実施形態について説明したが、実用新案登録請求の範囲に記載された考案は、上記実施形態に限定されることなく、種々の形態を採り得ることは言うまでもない。
（１）上記実施形態では、軸方向の断面形状がコ字形状のアーム３を用いたが、アーム３は、平面形状に形成されていてもよいし、Ｌ字形状に形成されていてもよい。
（２）上記実施形態では、ノブ部４１を車椅子の前方側に倒すと車椅子用テーブル１が肘掛部１０１に固定される例を示したが、ノブ部４１を倒す方向は、車椅子の前方方向に限られるものではない。
（３）上記実施形態では、テーブル２に回動式アーム３を備えている例を説明したが、アーム３はテーブル２に直接備えられていてもよい（固定式）。
（４）上記実施形態では、アーム３に固定具４を備えている例を説明したが、固定具４はテーブル２に直接備えられていてもよい。
（５）上記実施形態では、肘掛部１０１を上下に挟んで車椅子用テーブル１を車椅子に固定しているが、左右方向に挟んで固定してもよい。
（６）上記実施形態では、車椅子用テーブル１を運搬するときにアーム３が邪魔になりにくい位置の例として、テーブル２を平面視したときのテーブル２の外枠で囲われた位置を挙げて説明しているが。運搬の邪魔にならない範囲であれば、アーム３がテーブル２の外枠からはみ出てもかまわない。
（７）上記実施形態では、車椅子用テーブル１をかまぼこ型の肘掛部１０１に設置した例を説明したが、車椅子用テーブル１を設置する肘掛部１０１の形状は、丸形でもよいし、他の形状でもよい。
（８）上記実施形態では、アーム３とテーブル２とを接続するボルトについて特定していないが、スタッドボルトを用いてもよい。
【符号の説明】
【００４７】
１… 車椅子用テーブル  ２… テーブル  ３… アーム  ４… 固定具
３０… ストッパ  ３１… 蝶ネジ  ４０… 土台部  ４１… ノブ部  ４２… 支柱部
４３… 中継部  ４４… 当接部  １０１… 肘掛部  ４０１… 窪部
【図１】
0003196563.tif 000003
【図２】
0003196563.tif 000004
【図３】
0003196563.tif 000005
【図４】
0003196563.tif 000006